(57)【要約】【課題】プリズムを含む光学系において、プリズムの取り付け角度を容易にかつ高精度に調整できるようにする。【解決手段】入射面ｇ１，反射面ｇ２，及び射出面ｇ３をもつプリズムＧ２を含む光学系Ｇ１，Ｇ２，Ｇ３，Ｇ４、光学系を保持する保持部材としての外筒１０及びカバー２０を備え、プリズムの取り付け角度を調整する調整機構として、入射面及び射出面以外の外壁面ｇ２´領域においてプリズムＧ２に設けられた軸部ｇ５と、軸部ｇ５を回動自在に挿通させるべくカバー２０に設けられた挿通孔２３と、を採用する。これにより、プリズムを保持部材に取り付ける際に、保持部材の挿通孔２３に通された軸部ｇ５を回転させることで、プリズムＧ２の取り付け角度を容易にかつ高精度に微調整することができる。【選択図】  図３ 
2005148663.tif 000002
【特許請求の範囲】
【請求項１】
入射面，反射面，及び射出面をもつプリズムを含む光学系と、前記光学系を保持する保持部材と、前記プリズムの取り付け角度を調整する調整機構と、を備え、
前記調整機構は、前記入射面及び射出面以外の領域において前記プリズムに設けられた軸部と、前記軸部を回動自在に挿通させるべく前記保持部材に設けられた挿通孔と、を含む、
ことを特徴とするプリズム調整装置。
【請求項２】
前記軸部は、前記反射面を画定する外壁面において門型状に跨設された梁部材を介して形成され、かつ、前記射出面から射出される射出光の主光軸と平行に軸心をもつように形成されている、
ことを特徴とする請求項１記載のプリズム調整装置。
【請求項３】
前記保持部材は、前記射出面の外縁部を支持する支持部をもつ本体と、前記挿通孔を有し前記本体に対して接合され得るカバーと、を含む、
ことを特徴とする請求項２に記載のプリズム調整装置。
【請求項４】
前記軸部の端面には、工具を連結するための溝が形成されている、
ことを特徴とする請求項１ないし３いずれかに記載のプリズム調整装置。
【請求項５】
入射面，反射面，及び射出面をもつプリズムを含む光学系と、前記光学系を保持する保持部材と、前記プリズムの取り付け角度を調整する調整機構と、を備え、
前記調整機構は、前記入射面及び射出面以外の領域において前記プリズムに設けられた溝と、前記溝を露出させるように前記保持部材に設けられた貫通孔と、を含む、
ことを特徴とするプリズム調整装置。
【請求項６】
前記溝は、前記反射面を画定する外壁面上の四隅に設けられ、
前記貫通孔は、前記四隅の溝に対応して設けられている、
ことを特徴とする請求項５記載のプリズム調整装置。
【発明の詳細な説明】
【技術分野】
【０００１】
本発明は、プリズムを含む光学系において、プリズムの取り付け角度を調整するプリズム調整装置に関し、特に、携帯電話機、携帯型パーソナルコンピュータ等の携帯情報端末機に搭載される小型カメラの光学系あるいはその他の光学機器に適用され得るプリズム調整装置に関する。
【背景技術】
【０００２】
プリズムを含む従来の光学系としては、光ピックアップ等の装置において、トラッキングミラーと移動光学系との間に、光を直角に屈曲させるプリズムを配置し、このプリズムを球面座により支持して、プリズムの角度を調整する調整装置を形成し、プリズムにおける入射光軸及び射出光軸の傾きを調整できるようにしたものが知られている（例えば、特許文献１参照）。
【特許文献１】特開平５−１８９７９１号公報
【発明の開示】
【発明が解決しようとする課題】
【０００３】
ところで、上記従来のプリズム調整装置においては、プリズムの四隅を保持部材に形成された球面座により支持しているため、保持部材に形成される球面の仕上げ精度が要求され、又、プリズムが例えば一辺５ｍｍ〜１０ｍｍの立方体に収まるような小さいものの場合は、角度調整を行うのが困難である。
【０００４】
本発明は、上記従来技術の事情に鑑みてなされたものであり、その目的とするところは、装置の小型化を図りつつ、光学系の一部に含まれるプリズムの取り付け角度を、容易に微調整することができ、光学系全体の組み付け作業を容易にかつ高精度に行うことができ、特に、携帯電話機、携帯型パーソナルコンピュータ等の携帯情報端末機に搭載される小型カメラの光学系に適したプリズム調整装置を提供することにある。
【課題を解決するための手段】
【０００５】
本発明のプリズム調整装置は、入射面，反射面，及び射出面をもつプリズムを含む光学系と、光学系を保持する保持部材と、プリズムの取り付け角度を調整する調整機構とを備え、上記調整機構は、入射面及び射出面以外の領域においてプリズムに設けられた軸部と、軸部を回動自在に挿通させるべく保持部材に設けられた挿通孔と、を含むことを特徴としている。
【０００６】
この構成によれば、光学系の一部をなすプリズムを保持部材に取り付ける際に、保持部材の挿通孔に通された軸部を回転させることで、プリズムの取り付け角度を微調整することができる。
また、軸部は、入射面及び射出面以外の領域に形成されているので、光の屈曲（反射）特性に影響を及ぼすことなく、入射面から入射した光は反射面にて所定の向きに屈曲して反射され射出面から射出される。
【０００７】
上記構成において、軸部は、反射面を画定する外壁面において門型状に跨設された梁部材を介して形成され、かつ、射出面から射出される射出光の主光軸と平行に軸心をもつように形成されている、構成を採用することができる。
この構成によれば、軸部が外壁面に直接設けられるのではなく反射面から離隔した梁部材を介して設けられているため、反射面の有効領域（光を反射する領域）には何ら影響を及ぼすことはなく、所望の光学特性（反射特性）を得ることができる。
【０００８】
上記構成において、保持部材は、射出面の外縁部を支持する支持部をもつ本体と、挿通孔を有し本体に対して接合され得るカバーと、を含む、構成を採用することができる。
この構成によれば、プリズムの組み付けに際して、射出面の外縁部を本体の支持部に接合させた状態で、軸部を挿通孔に通すようにしてカバーを本体に接合した後、軸部を回転させることでプリズムの角度を微調整することができる。
【０００９】
上記構成において、軸部の端面には、工具を連結するための溝が形成されている、構成を採用することができる。
この構成によれば、軸部の端面に形成された溝（例えば、マイナス溝あるいは十字溝）に工具（例えば、マイナスあるいはプラスのスクリュードライバー）を連結することにより、容易にプリズムの角度を調整することができる。
【００１０】
また、本発明のプリズム調整装置は、入射面，反射面，及び射出面をもつプリズムを含む光学系と、光学系を保持する保持部材と、プリズムの取り付け角度を調整する調整機構とを備え、上記調整機構は、入射面及び射出面以外の領域においてプリズムに設けられた溝と、溝を露出させるように保持部材に設けられた貫通孔と、を含むことを特徴としている。
この構成によれば、光学系の一部をなすプリズムを保持部材に取り付ける際に、保持部材の貫通孔を通して工具等を溝に連結させて回転させることで、プリズムの取り付け角度を微調整することができる。また、溝は、入射面及び射出面以外の領域に形成されているので、光の屈曲（反射）特性に影響を及ぼすことなく、入射面から入射した光は反射面にて所定の向きに屈曲して反射され射出面から射出される。
【００１１】
上記構成において、溝は反射面を画定する外壁面上の四隅に設けられ、貫通孔は四隅の溝に対応して設けられている、構成を採用することができる。
この構成によれば、四隅に設けられた４つの溝に、対応する４つの貫通孔から専用の工具等を挿入して連結させ、適宜回転させることで、プリズムの角度調整を容易に行うことができる。
【発明の効果】
【００１２】
上記構成をなす本発明のプリズム調整装置によれば、光学系の一部をなすプリズムを保持部材に取り付ける際（光学系の組付け時）に、光の屈曲（反射）特性に影響を及ぼすことなく、プリズムの取り付け角度を微調整することができ、所望の光学特性を得ることができる。
【発明を実施するための最良の形態】
【００１３】
以下、本発明の最良の実施形態について、添付図面を参照しつつ説明する。
図１ないし図８は、本発明に係るプリズム調整装置を備えたカメラユニットの一実施形態を示すものであり、図１はカメラユニットの正面図、図２はカメラユニットの側面図、図３及び図４はカメラユニットの内部を示す断面図、図５及び図６はプリズム調整装置を示す分解斜視図及び端面図、図７はカム筒の断面図、図８はカメラユニットの断面図である。
【００１４】
このカメラユニットは、図１ないし図５に示すように、光学系を構成するレンズＧ１，プリズムＧ２，レンズＧ３，レンズＧ４を収容して保持する保持部材（本体）としての外筒１０及びカバー２０、外筒１０の内側において光軸Ｌ２回りに回動自在に支持されたカム筒３０、レンズＧ３を保持するレンズ枠４０、レンズＧ４を保持するレンズ枠５０、レンズ枠４０とレンズ枠５０との間に配置された圧縮バネ６０、外筒１０に沿って回動自在に配置された手動操作部７０、レンズ枠５０（レンズＧ４）の後方に配置された撮像素子としてのＣＣＤ８０、ＣＣＤ８０を保持した保持枠９０等を備えている。
【００１５】
このカメラユニットにおいて、レンズＧ１及びプリズムＧ２は第１レンズ群、レンズＧ３（及びレンズ枠４０）は第２レンズ群、レンズＧ４（及びレンズ枠５０）は第３レンズ群をそれぞれ形成しており、被写体光がＬ１方向から進入すると、プリズムＧ２にて略直角に屈曲（方向変換）させられてＬ２方向に進行し、レンズＧ３、レンズＧ４を経て、ＣＣＤ８０に到達する。
そして、第２レンズ群（レンズＧ３）及び第３レンズ群（レンズＧ４）が、光軸方向Ｌ２において相対的に移動させられることにより、ＣＣＤ８０の結像面に対して被写体の変倍動作及び合焦動作が行われる。尚、ＣＣＤ８０とレンズＧ４との間には、水晶フィルタ及びフェースプレートが配置されている。
【００１６】
外筒１０は、樹脂材料により形成された一対の半体を接合したものであり、図３、図４、図８に示すように、カム筒３０を回動自在に支持する共に、カム筒３０の突出片３５を挿通させる開口部１１、レンズ枠４０，５０を光軸方向Ｌ２に案内するガイド溝１２、カバー２０を接合させると共にプリズムＧ２を支持する支持部としての平坦な接合面１３ａを有する接合部１３、接合部１３に形成された略矩形状の開口部１４、保持枠９０を接合する接合部１５等を備えている。
【００１７】
カバー２０は、図１ないし図５に示すように、レンズＧ１及びプリズムＧ２を収容した状態で外筒１０に接合して固着されるものであり、レンズＧ１の前方に位置する開口２１、外筒１０の接合部１３に接合される縁部２２、その壁面の一部に形成された円形状の挿通孔２３等を備えている。
【００１８】
プリズムＧ２は、図３ないし図５に示すように、被写体光が入射する入射面ｇ１、光軸Ｌ１方向から入射した被写体光を直角に屈曲（方向変換）させる反射面ｇ２、屈曲された被写体光を光軸Ｌ２方向に射出する射出面ｇ３、反射面ｇ２を画定する外壁面ｇ２´（すなわち、入射面ｇ１及び射出面ｇ３以外の領域）において門型状に跨設された梁部材ｇ４、梁部材ｇ４上において光軸Ｌ２方向に伸長して形成された円柱状の軸部ｇ５、軸部ｇ５の端面に形成された溝ｇ５´等を備えている。すなわち、軸部ｇ５は、外壁面ｇ２´上に直接設けられるのではなく梁部材ｇ４を介して設けられているため、反射面ｇ２において所望の屈曲（反射）特性が確保される。
ここでは、軸部ｇ５は、その軸心が光軸Ｌ２と同軸上に形成されているが、軸心が光軸Ｌ２から若干偏倚して平行になるように形成されてもよい。
【００１９】
そして、射出面ｇ３の外縁部ｇ３´を外筒１０の接合面１３ａに当接させ、軸部ｇ５をカバー２０の挿通孔２３に挿通させるようにカバー２０（縁部２２）を外筒１０（接合部１３）に接合すると、軸部ｇ５が挿通孔２３により回動自在に支持されて、プリズムＧ２は接合面１３ａ上を摺動しつつ光軸Ｌ２回りの所望の角度位置に微調整できるようになっている。
すなわち、プリズムＧ２に形成された軸部ｇ５とカバー２０に形成された挿通孔２３とにより、プリズムＧ２の取り付け角度を調整する調整機構が構成されている。
【００２０】
カム筒３０は、図３、図４、図８に示すように、外筒１０の内側において回動自在に支持されて、レンズ枠４０，５０を光軸方向Ｌ２に移動させるものであり、図７に示すように、内周面に形成され光軸方向Ｌ２においてレンズ枠４０，５０にそれぞれカム作用を及ぼす２つずつのカム面３１，３２（１つは不図示）、壁面を切り欠いた縁部に形成され光軸方向Ｌ２においてレンズ枠４０，５０にそれぞれカム作用を及ぼす１つずつのカム面３３，３４、径方向外側に突出する突出片３５等により形成されている。カム筒３０は、光軸方向Ｌ２において二分割されて別々に形成されたものを、圧縮バネ６０を挟んだ状態でレンズ枠４０，５０を嵌め込んだ後に、組み付けて一体化したものである。
【００２１】
ここで、２つのカム面３１及び１つのカム面３３は、後述するレンズ枠４０の３つのフォロワ４２とそれぞれ接触して、光軸方向Ｌ２においてカム作用を及ぼし、又、２つのカム面３２及び１つのカム面３４は、後述するレンズ枠５０の３つのフォロワ５２とそれぞれ接触して、光軸方向Ｌ２においてカム作用を及ぼす。したがって、カム筒３０が回転すると、レンズ枠４０，５０が光軸方向Ｌ２にそれぞれ移動させられる。
【００２２】
手動操作部７０は、図１ないし図４、図８（ｂ）に示すように、円弧形状に形成され、その略中央部にはカム筒３０の突出片３５を嵌め込む嵌合孔７１が形成されている。そして、手動操作部７０は、図１及び図８（ｂ）に示すように、外筒１０の周りに摺動自在に取り付けられている。
したがって、手動操作部７０を回動させると、その回動と一体となってカム筒３０が回動し、レンズ枠４０，５０が光軸方向Ｌ２に移動させられるようになっている。
【００２３】
レンズ枠４０は、図３、図４、図８（ｂ）に示すように、レンズＧ３を保持し、光軸方向Ｌ２に移動自在にカム筒３０の内側に配置されている。レンズ枠４０は、樹脂材料により略円筒状に形成されており、レンズＧ３を保持する保持孔４１、１２０度の間隔で配置され径方向外側に向けて突出する３つのフォロワ４２等により形成されている。尚、一つのフォロワ４２は、他よりも長めに形成されて外筒１０のガイド溝１２に挿入されている。
【００２４】
すなわち、図３及び図４に示すように、２つのフォロワ４２がカム筒３０のカム面３１に当接し、一つのフォロワ４２がカム面３３に当接しかつガイド溝１２に挿入されている。これにより、レンズ枠４０は、ガイド溝１２により回転が規制されつつ、カム面３１，３３のカムプロフィルに追随して光軸方向Ｌ２にのみ移動するようになっている。
【００２５】
レンズ枠５０は、図３、図４、図８（ａ）に示すように、レンズＧ４を保持し、光軸方向Ｌ２に移動自在にカム筒３０の内側に配置されている。レンズ枠５０は、樹脂材料により略円筒状に形成されており、レンズＧ４を保持する保持孔５１、１２０度の間隔で配置され径方向外側に向けて突出する３つのフォロワ５２等により形成されている。尚、一つのフォロワ５２は、他よりも長めに形成されて外筒１０のガイド溝１２に挿入されている。
【００２６】
すなわち、図３及び図４に示すように、２つのフォロワ５２がカム筒３０のカム面３２に当接し、一つのフォロワ５２がカム面３４に当接しかつガイド溝１２に挿入されている。これにより、レンズ枠５０は、ガイド溝１２により回転が規制されつつ、カム面３２，３４のカムプロフィルに追随して光軸方向Ｌ２にのみ移動するようになっている。
【００２７】
次に、上記カメラユニットにおけるプリズムＧ２の組み付け及び取り付け角度の調整について説明する。先ず、カム筒３０内にレンズ枠４０及びレンズ枠５０を組み付け、そのカム筒３０を外筒１０内に回動自在に組み付ける。そして、外筒１０の接合部１５にＣＣＤ８０を保持した保持枠９０を組み付ける。
【００２８】
続いて、図３及び図４に示すように、レンズＧ１の縁部及びプリズムＧ２の射出面ｇ３（外縁部ｇ３´）を外筒１０の接合部１３及び接合面１３ａに接合させた状態で、レンズＧ１を固定するようにかつ軸部ｇ５を挿通孔２３から外部に挿通させるようにして、カバー２０を接合部１３に接合させて固着させる。
この組み付け状態で、工具を用いて軸部ｇ５を回動させる（例えば、軸部ｇ５の溝ｇ５´にマイナスのスクリュードライバーを連結させて回動させる）と、プリズムＧ２は、接合面１３ａ上を摺動しつつ光軸Ｌ２の回りに回転させられて、その取り付け角度（光軸Ｌ１の向き）が調整され得る状態にある。
【００２９】
続いて、レンズＧ１の前方に調整用の撮影チャートを配置し、ＣＣＤ８０を駆動させてモニターに撮影チャートの画像を表示させる。そして、所望の鮮明な画像状態になるようにモニター上の画像を確認しつつ、図６に示すように、軸部ｇ５を適宜回転させて、プリズムＧ２の取り付け角度を微調整する。そして、所望の画像が得られた時点で、その取り付け角度を維持するべく、軸部ｇ５及び挿入孔２３に接着剤を充填してプリズムＧ２をカバー２０（及び外筒１０）に固定する。これにより、プリズムＧ２の組み付け及び角度調整が終了する。
【００３０】
このように、カバー２０の挿通孔２３に通された軸部Ｇ５を回転させることで、プリズムＧ２の取り付け角度を微調整することができるため、角度調整が容易になり、全体の組み付け作業を円滑に行うことができ、生産性が向上する。特に、プリズムＧ２の大きさが、一辺５ｍｍ〜１０ｍｍ程度の立方体に収まるような比較的小さいものであっても、容易にかつ高精度に取り付け角度を微調整することができる。
【００３１】
次に、上記カメラユニットの動作について図３及び図４に基づき説明すると、手動操作部７０を一方向に回転させると、カム面３１，３３及びカム面３２，３４のカム作用により、図３に示すように、レンズ枠４０（レンズＧ３）及びレンズ枠５０（レンズＧ４）は、相対的な距離を変化させつつ光軸方向Ｌ２の前方側に向けて移動し、広角撮影位置に至る。
【００３２】
一方、手動操作部７０を逆方向に回転させると、カム面３１，３３及びカム面３２，３４のカム作用により、図４に示すように、レンズ枠４０（レンズＧ３）及びレンズ枠５０（レンズＧ４）は、相対的な距離を変化させつつ光軸方向Ｌ２の後方側に向けて移動し、望遠撮影位置に至る。
このように、手動操作部７０を回動させて、広角〜望遠までの幅広い範囲で撮影することができ、特に、このプリズム調整装置を備えたカメラユニットにより、光学特性に優れた撮影画像を得ることができる。
【００３３】
尚、上記実施形態においては、プリズムＧ２の構成において、梁部材ｇ４の上面とカバー２０の内壁面との間にクリアランスを設けたが、両者を接触させるような寸法に形成することにより、カバー２０でプリズムＧ２を接合面１３ａに適度に押し付けて保持し、この状態で軸部ｇ５を回転させて取り付け角度を微調整するようにしてもよい。
【００３４】
図９ないし図１１は、本発明に係るプリズム調整装置の他の実施形態を採用したカメラユニットを示すものであり、前述の実施形態と同一の構成については同一の符号を付してその説明を省略する。この実施形態において、カバー２０´は、図９ないし図１１に示すように、レンズＧ１及びプリズムＧ２´を収容した状態で外筒１０に接合して固着されるものであり、レンズＧ１の前方に位置する開口２１、外筒１０の接合部１３に接合される縁部２２、その壁面の四隅に形成された略矩形の４つの貫通孔２３´等を備えている。ここで、４つの貫通孔２３´は、光軸Ｌ２から同一の半径上に位置するように形成されている。
【００３５】
プリズムＧ２´は、図９ないし図１１に示すように、被写体光が入射する入射面ｇ１、光軸Ｌ１方向から入射した被写体光を直角に屈曲（方向変換）させる反射面ｇ２、屈曲された被写体光を光軸Ｌ２方向に射出する射出面ｇ３、反射面ｇ２を画定する外壁面ｇ２´（すなわち、入射面ｇ１及び射出面ｇ３以外の領域）の四隅に設けられた４つの溝ｇ６等を備えている。ここで、４つの溝ｇ６は、光軸Ｌ２から同一の半径上の位置するように形成されている。
【００３６】
そして、射出面ｇ３の外縁部ｇ３´を外筒１０の接合面１３ａに当接させ、カバー２０´の貫通孔２３´を溝ｇ６にそれぞれ対向させるようにして、カバー２０´（縁部２２）を外筒１０（接合部１３）に接合すると、貫通孔２３´を通して溝ｇ６が露出させられた状態となる。そこで、貫通孔２３の外側から専用の工具を溝ｇ６に連結し光軸Ｌ２回りに回転させることで、プリズムＧ２´は接合面１３ａ上を摺動しつつ光軸Ｌ２回りの所望の角度位置に微調整されるようになっている。
すなわち、プリズムＧ２´に形成された溝ｇ６とカバー２０´に形成された貫通孔２３´とにより、プリズムＧ２´の取り付け角度を調整する調整機構が構成されている。
【００３７】
次に、このメラユニットにおけるプリズムＧ２´の組み付け及び取り付け角度の調整について説明する。先ず、カム筒３０内にレンズ枠４０及びレンズ枠５０を組み付け、そのカム筒３０を外筒１０内に回動自在に組み付ける。そして、外筒１０の接合部１５にＣＣＤ８０を保持した保持枠９０を組み付ける。
【００３８】
続いて、図９及び図１１に示すように、レンズＧ１の縁部及びプリズムＧ２´の射出面ｇ３（外縁部ｇ３´）を外筒１０の接合部１３及び接合面１３ａに接合させた状態で、レンズＧ１を固定するようにかつ貫通孔２３´を溝ｇ６に対向させるようにして、カバー２０´を接合部１３に接合させて固着させる。
【００３９】
続いて、レンズＧ１の前方に調整用の撮影チャートを配置し、ＣＣＤ８０を駆動させてモニターに撮影チャートの画像を表示させる。そして、所望の鮮明な画像状態になるようにモニター上の画像を確認しつつ、専用の工具を貫通孔２３´から挿入して溝ｇ６に連結し、図１１に示すように適宜回転させて、プリズムＧ２´の取り付け角度を微調整する。そして、所望の画像が得られた時点で、その取り付け角度を維持するべく、貫通孔２３´及び溝ｇ６に接着剤を充填してプリズムＧ２´をカバー２０´（及び外筒１０）に固定する。これにより、プリズムＧ２´の組み付け及び角度調整が終了する。
【００４０】
このように、カバー２０´の貫通孔２３´を通して専用の工具を挿入し溝Ｇ６に連結させて適宜回転させることで、プリズムＧ２´の取り付け角度を微調整することができるため、角度調整が容易になり、全体の組み付け作業を円滑に行うことができ、生産性が向上する。特に、プリズムＧ２´の大きさが、一辺５ｍｍ〜１０ｍｍ程度の立方体に収まるような比較的小さいものであっても、容易にかつ高精度に取り付け角度を微調整することができる。
尚、この実施形態においては、カバー２０´を外筒１０と別体に形成したが、これに限定されず、プリズムＧ２´を開口２１から挿入して接合面１３ａ上に配置するように、カバー２０´を外筒１０と一体的に形成してもよい。
【００４１】
上記実施形態においては、順次に配列されたレンズＧ１，レンズＧ３，レンズＧ４の途中にプリズムＧ２を配置した光学系において、本発明に係るプリズム調整装置を採用した場合を示したが、これに限定されるものではなく、二つのレンズあるいは四つ以上のレンズにプリズムを加えた光学系において本発明に係るプリズム調整装置を適用してもよく、又、その他の光学系において本発明のプリズム調整装置を適用してもよい。
【産業上の利用可能性】
【００４２】
以上述べたように、本発明に係るプリズム調整装置は、光学系に含まれるプリズムの取り付け角度を容易にしかも高精度に調整することができるため、通常の光学機器に適用されるのは勿論のこと、特に、携帯電話機、携帯型パーソナルコンピュータ等の携帯情報端末機に搭載される小型のデジタルカメラにおける光学系に有用である。
【図面の簡単な説明】
【００４３】
【図１】本発明に係るプリズム調整装置を備えたカメラユニットを示す正面図である。
【図２】本発明に係るプリズム調整装置を備えたカメラユニットを示す側面図である。
【図３】図１及び図２に示すカメラユニットの断面図である。
【図４】図１及び図２に示すカメラユニットの断面図である。
【図５】カメラユニットの一部を構成する外筒、プリズム、カバーの関係を示す分解斜視図である。
【図６】カメラユニットをカバー側から見た端面図である。
【図７】カメラユニットの一部を構成するカム筒を示す断面図である。
【図８】（ａ），（ｂ）は、カメラユニットの内部を示す光軸方向から見た断面図である。
【図９】本発明に係るプリズム調整装置の他の実施形態を示すカメラユニットの断面図である。
【図１０】図９に示すカメラユニットの一部を構成する外筒、プリズム、カバーの関係を示す分解斜視図である。
【図１１】図９に示すカメラユニットをカバー側から見た端面図である。
【符号の説明】
【００４４】
Ｇ１，Ｇ３，Ｇ４  レンズ（光学系）
Ｇ２，Ｇ２´  プリズム（光学系）
ｇ１  入射面
ｇ２  反射面
ｇ２´  外壁面
ｇ３  射出面
ｇ３´  外縁部
ｇ４  梁部材
ｇ５  軸部（調整機構）
ｇ５´  溝
ｇ６  溝（調整機構）
Ｌ１  光軸
Ｌ２  光軸（射出光の主光軸）
１０  外筒（保持部材、本体）
１３  接合部
１３ａ  接合面（支持部）
２０，２０´  カバー（保持部材）
２１  開口
２２  縁部
２３  挿通孔（調整機構）
２３´  貫通孔（調整機構）
４０，５０  レンズ枠
６０  圧縮バネ
７０  手動操作部
８０  ＣＣＤ
９０  保持枠
【図１】
2005148663.tif 000003
【図２】
2005148663.tif 000004
【図３】
2005148663.tif 000005
【図４】
2005148663.tif 000006
【図５】
2005148663.tif 000007
【図６】
2005148663.tif 000008
【図７】
2005148663.tif 000009
【図８】
2005148663.tif 000010
【図９】
2005148663.tif 000011
【図１０】
2005148663.tif 000012
【図１１】
2005148663.tif 000013